(57)【特許請求の範囲】
【請求項１】
輪転印刷機に材料ウェブ（１２）を引き込むための装置（１）であって、引込通路（２）内で案内された引込エレメント（３）と、該引込エレメント（３）と着脱可能に結合可能な三角形引込部材（５）とが設けられており、該三角形引込部材（５）に、引き込まれる前記材料ウェブ（１２）の先行する端部が取り付けられている形式のものにおいて、
前記三角形引込部材（５）が引込通路に向いた側（６）で引込方向（４）に対してほぼ垂直に延びる変形部（３０）を備えており、
前記三角形引込部材（５）に形成された前記変形部（３０）の高さ（３６）が、前記引込通路（２）に形成された通路スリット（１３）の幅よりも大きくなっており、該通路スリット（１３）を貫通して前記引込エレメント（３）が外側へ延びていることを特徴とする、輪転印刷機に材料ウェブを引き込むための装置。
【請求項２】
前記変形部が変形エレメント（３１）によって形成される、請求項１記載の装置。
【請求項３】
前記変形エレメント（３１）が、前記三角形引込部材（５）の、材料ウェブを引き込むための前記装置（１）に向いた側（６）に対して平行に延びている、請求項２記載の装置。
【請求項４】
前記変形部（３０）が波形または鋸歯形状に形成されている、請求項１から３までのいずれか１項記載の装置。
【請求項５】
前記変形エレメント（３１）が成形されたフレキシブルな金属レールとして形成されている、請求項２記載の装置。
【請求項６】
前記変形エレメント（３１）が引込方向（４）で見て、凸部（３２）と凹部（３３）との連続を備えている、請求項２記載の装置。
【請求項７】
前記変形エレメント（３１）の長さ（３５）が、その幅（３４）よりも著しく大きくなっている、請求項２記載の装置。
【請求項８】
前記変形エレメント（３１）が横向きのＵ字形プロフィールとして形成されていて、かつ側方で三角形引込部材（５）に嵌め込み可能である、請求項２記載の装置。
【請求項９】
前記変形エレメント（３１）が前記三角形引込部材（５）の上面または下面に取付可能である、請求項２記載の装置。
【発明の詳細な説明】
【０００１】
【発明の属する技術分野】
本発明は、輪転印刷機に材料ウェブを引き込むための装置であって、引込通路内で案内された引込エレメントと、引込エレメントと着脱可能に結合可能な三角形引込部材とが設けられており、三角形引込部材に、引き込まれる前記材料ウェブの先行する端部が取り付けられている形式のものに関する。
【０００２】
【従来の技術】
欧州特許公開第１０６０８８０号明細書は、輪転印刷機に材料ウェブを引き込むための装置に関する。ここでは所定の長さを有する一辺と底辺と斜辺とを備えた三角形引込部材（トライアングル部材）が設けられている。さらに三角形引込部材を案内するために役立つガイド装置が設けられている。ガイド装置は三角形引込部材の一方の辺のほぼ所定の全長に沿って三角形引込部材に着脱可能に取り付けられている。
【０００３】
英国特許２３１５０６２号明細書は、直角三角形に形成されたウェブ引込エレメントに関する。フラットに形成されたウェブ引込エレメントは、補強織布の挿入された表面を備えている。補強織布の補強繊維は斜辺に対してほぼ平行かつ垂直に延びている。引込エレメントは底辺に懸架手段を備えており、この懸架手段はフラップセグメントを備えている。ウェブ引込エレメントは尖端部に、ウェブ引込エレメントを引張機構に懸架するためのアイ（Oese；目環）を備えている。有利には、フラップセグメントおよびアイは超音波溶接によってウェブ引込エレメントと溶接される。
【０００４】
従来技術から公知の、実質的に直角三角形として形成されたウェブ引込エレメントは、極めてフラットに形成された、高い引張強さを有する材料から成っている。ウェブ引込エレメントは、斜辺を取り囲む長い方の辺で、移動可能な懸架装置に懸架可能であり、この懸架装置は長手方向切込を備えた通路において移動可能で、この通路によって、引込装置は、所定の搬送経路に応じて輪転印刷機の構成要素たとえば印刷装置、乾燥装置、冷却ローラスタンド、ターニングバー上部構造などを通される。
【０００５】
ウェブ引込エレメントに対する非対称的な力導入に基づいて、ウェブ引込エレメントの底部が引込装置の長手方向スリットに押し込まれる傾向にあり、これによってウェブ引込エレメントの損傷が生じ得る。
【０００６】
【発明が解決しようとする課題】
したがって本発明の課題は、冒頭で述べたような形式の材料ウェブを引き込むための引込エレメントを改良して、ウェブ引込装置へのウェブ引込エレメントの走入が防止されるようなものを提供することである。
【０００７】
【課題を解決するための手段】
この課題を解決するための本発明の装置によれば、三角形引込部材が引込通路に向いた側で引込方向に対してほぼ垂直に延びる変形部を備えており、三角形引込部材に形成された変形部の高さが、引込通路に形成された通路スリットの幅よりも大きくなっており、通路スリットを貫通して引込エレメントが外側へ延びている。
【０００８】
【発明の効果】
本発明によって得られる利点によれば、とりわけ簡単に取付可能なたとえば三角形引込部材の側方で後方領域に嵌め込み可能な変形エレメントによって、三角形引込部材の後方領域に波形のプロフィールが成形可能である。三角形引込部材においてほぼ波形に経過する変形部は、材料ウェブの引込方向に対して垂直に延びており、しかもこの変形部は次のような絶対高さで形成されており、すなわち、三角形引込部材に対する非対称的な力導入の場合に、三角形引込部材の後方領域と、三角形引込部材に受容された、引き込まれる材料ウェブとが、引込装置の、ウェブ引込平面に対して平行に延びるギャップに押し込められることが効果的に防止されるような絶対高さで形成されている。
【０００９】
本発明に基づく思想の有利な実施形態によれば、変形エレメントが三角形引込部材の底辺に向いた領域に配置されている。変形エレメントは、一方で開放している横向きのＵ字形プロフィールとして形成することもでき、しかも三角形引込部材の側方で後方領域において、三角形引込部材の、引込装置に対して平行に延びる長手方向側に嵌め込むことができる。これによって引込装置に対して横方向に延びる変形部が三角形引込部材に成形される位置は、自由に選択することができる。
【００１０】
有利には、変形エレメントは、三角形引込部材の、引込装置に向いた側に対して平行に延びている。変形エレメントによって、三角形引込部材の後方領域で、凸部と凹部との連続によって特徴付けられた有利には波形の変形部が、引込方向に対して垂直方向で成形される。
【００１１】
有利には、引込装置の通路スリットに向いた側で、引込方向に対して垂直方向で三角形引込部材に成形された変形部の高さは、引込装置内で移動可能に受容された引込エレメントによって貫通される引込装置の通路スリットの幅よりも大きくなっている。
【００１２】
変形エレメントはたとえば成形されたフレキシブルな金属レールとして形成することができ、その厚さは１０分の数ミリメートルである。たとえば金属から製作された変形エレメントに、引込方向で見て、凸部と凹部との連続を形成することができ、これらの凸部と凹部との連続によって変形エレメントに波形に経過するプロフィールが付与される。変形エレメントの長さは幅よりも大きく、有利には著しく大きくなっているので、変形エレメントをウェブ三角形引込部材の、引込装置に向いた側に取り付ける際に、三角形引込部材の長い方の領域を波形に変形することができ、これによって引込方向に対して平行に延びる、移動可能な引込エレメントによって貫通される、引込装置の通路スリットへの走入を防止することができる。
【００１３】
変形エレメントは金属レールとして製作することができ、このレールは三角形引込部材の後方領域において上面または下面に取り付けることができる。これとは別に変形エレメントを凸部と凹部との連続を備えた横向きのＵ字形プロフィールとして設けることができるので、変形エレメントは開放している端部で、引込装置に対して平行に延びている側で三角形引込部材に簡単に嵌め込むことができる。変形エレメントを金属材料から形成すること以外に、フレキシブルな材料たとば弾性プラスチックなどから成る構成も考えられる。変形部自体を三角形引込部材に成形することもでき、三角形引込部材によって、引き込まれる材料ウェブは各搬送系路に応じて、ウェブ処理する、材料処理する輪転印刷機の構成要素に通すことができる。
【００１４】
【発明の実施の形態】
次に本発明の実施の形態を図示の実施例を用いて詳しく説明する。
【００１５】
図１には、従来技術に基づく、紙通し装置もしくは引き込み装置に取り付けられたトライアングル部材もしくは三角形引込部材が平面図で示されている。
【００１６】
極めて概略的に示された図１では、引き込まれる材料ウェブ１２のための引込装置１が引込方向４で延びている。引込装置１は引込通路２を備えており、この引込通路２は引き込まれる材料ウェブ１２に向いた側で通路スリット１３を備えている。引込装置１の引込通路２には引込エレメント３が移動可能に受容されており、この引込エレメント３は舌片状に、特にフラットな構成で形成されていて、かつ引き込まれる材料ウェブ１２に向いた側で引込通路２の通路スリット１３を貫通している。
【００１７】
引込通路２に移動可能に受容された引込エレメント３の懸架位置９には、三角形引込部材５の尖端部が取り付けられている。引込エレメント３において、懸架位置９に続いて開口スリット１０が引込方向４に対してほぼ平行に延びている。三角形引込部材５は実質的に直角三角形として形成されており、この場合斜辺を取り囲む長い方の辺すなわち垂線６は引込装置１に対して平行に引込方向４で延びており、斜辺を取り囲む短い方の辺すなわち底辺には、結合部１１を介して、引き込まれる材料ウェブ１２が取り付けられている。さらに斜辺８は直角に形成された三角形引込部材５を制限する。引き込まれる材料ウェブ１２を受容する三角形引込部材５に対する非対称的な引張力導入に基づいて、三角形引込部材５の底辺が引込装置１の引込通路２の通路スリット１３に近づく傾向にある。
【００１８】
図２のａには、引込装置の引込通路に走入する傾向を有する、従来技術に基づく三角形引込部材が示されている。
【００１９】
引込過程の際に材料ウェブによって生じる引張力に基づいて、三角形引込部材５は、引込エレメント３が引込装置の引込通路２において引込方向４で移動する際に、引込エレメント３における懸架位置９を中心に回動２２を行う傾向にある。これによって走入位置２１で定義された箇所で、直角に形成された三角形引込部材５の垂線６が引込通路２の通路スリット１３に走入し、これによって三角形引込部材５が、三角形引込部材５の垂線６に向いた開放している通路スリット１３にロックされ得る。三角形引込部材５の一部が通路スリット１３に留まるので、引込エレメントがたとえば引込経路の、真っ直ぐな区分に続くカーブして形成された区分を通過すると、フラットな構造形式で形成された三角形引込部材５では、三角形引込部材５が簡単にロックするようになり得る。
【００２０】
図２のｂには、従来技術に基づく引込通路２が拡大図で示されている。
【００２１】
符号２１で示された走入位置では、三角形引込部材５の底辺７が、引き込まれる材料ウェブ１２に向いた、引込通路２の開放している通路スリット１３に押し込められる傾向にある。この図２のｂから判るように、引込通路２の通路スリット１３の通路幅２０は、三角形引込部材５の厚さより大きくなっている。
【００２２】
図３のａには、本発明に基づいて変形された三角形引込部材が詳しく示されている。
【００２３】
本発明の構成によれば、有利には直角三角形として形成された三角形引込部材５の後方領域に変形エレメント３１が取り付けられている。変形エレメント３１は、有利には引込方向４に対して平行に、三角形引込部材の後方領域において垂線６に対して平行に三角形引込部材に取り付けられる。これによって、引き込まれる材料ウェブ１２が結合位置１１に受容されている、底辺７に向いた領域において、三角形引込部材５に変形部３０を成形することができる。図３のａに示された実施例では、変形部は、三角形引込部材５において引込方向４で経過する、凹部３３と凸部３２との連続として形成されている。これによって側面図で波形または鋸歯形状で経過する変形部３０が三角形引込部材５の後方領域に形成される。
【００２４】
変形エレメント３１は金属レールとして形成されていてよく、その長さ３５は幅３４よりも著しく大きくなっている。変形エレメント３１として波形のプロフィールを有する金属レール以外に、変形エレメント３１をプラスチックまたはフレキシブルな材料から製作することもできる。変形エレメント３１がたとえば横向きのＵ字形プロフィールとして形成されていると、変形エレメントは簡単な形式で三角形引込部材５の垂線６に嵌め込むことができ、三角形引込部材５に波形のプロフィール３０が付与される。本発明によれば、プロフィール３０の絶対高さ３６は引込通路２の通路スリット１３の幅２０よりも大きくなっている。これによって、懸架位置９における実質的に直角三角形として形成された三角形引込部材５に対する非対称的な力導入の際に、引き起こされる回動によって、走入位置２１において、垂線６に向いた通路スリット１３に三角形引込部材５の垂線部分が走入されない、ということが保証される。したがって三角形引込部材５がカーブしたウェブ区分を通過する際に、過度に三角形引込部材の自由運動を制限するような大き過ぎる剛性が達成されるというリスクが生じることなく、三角形引込部材５の機能障害または損傷さえも確実に回避することができる。
【００２５】
図３のｂには、三角形引込部材の変形部に作用するプロフィールが断面図で詳しく示されている。
【００２６】
引込方向４で見て、変形エレメント３１に凹部３３と凸部３２との連続が配置されている。有利には、個々の凹部３３もしくは凸部３２の高さもしくは深さ３６は、引込通路２の通路スリット１３の幅２０よりも大きく寸法付けされているので、変形エレメント３１自体が、もしくはこのような変形エレメント３１を備えた三角形引込部材５の後方領域が引込通路２の通路スリット１３に走入することが効果的に回避される。
【００２７】
変形エレメント３１がたとえばわずか１０分の数ミリメートルの厚さの鋼から製作されると、変形エレメント３１は、変形エレメント３１を備えた三角形引込部材５が小さな半径部材の周囲でも通過できるような可撓性を有するので、たとえば引き込まれる材料ウェブ１２がターニングバー上部構造に問題なく通過することが保証されている。変形エレメント３１に内在する可撓性は、誤って強い機械的な負荷を受けたとしても、つまりたとえば輪転印刷機の印刷装置における２つの渡し胴の間のシリンダギャップに走入したとしても、変形エレメント３１が元来の形状を再び占めることを可能にする。
【図面の簡単な説明】
【図１】従来技術による引込装置に取り付けられた三角形引込部材を示す平面図である。
【図２】ａは、従来技術による引込装置の引込通路に走入する傾向を有する三角形引込部材を示す平面図であり、ｂは、引込通路を示す拡大側面図である。
【図３】ａは、本発明に基づいて変形された三角形引込部材を示す平面図であり、ｂは、三角形引込部材の変形部を形成する、成形された変形エレメントを示す断面図である。
【符号の説明】
１  引込装置、  ２  引込通路、  ３  引込エレメント、  ４  引込方向、  ５  三角形引込部材、  ６  垂線、  ７  底辺、  ８  斜辺、  ９  懸架位置、１０  開口スリット、  １１  結合位置、  １２  材料ウェブ、  １３  通路スリット、  ２０  幅、  ２１  走入位置、  ２２  回動、  ３０  変形部、  ３１  変形エレメント、  ３２  凸部、  ３３  凹部、  ３４  幅、  ３５  長さ、  ３６  高さ
【図１】
0004082914.tif 000002
【図２】
0004082914.tif 000003
【図３】
0004082914.tif 000004